(57)【要約】      （修正有）【課題】荷締時に横ズレを起こすことが少なく、かつ作業性が極めてよく耐久性の高いラッシングベルトを提供する。【解決手段】先端にフックの掛け止め手段１３を有する固定用ベルト１４と巻き取り側のベルト１５とをバックルによる締付け具１６を介して組み合わせるラッシングベルトにおいて、中央に巻き取り側のベルト１５があり、この中央の巻き取り側のベルトの左右にバックルによる締付け具１６を介して固定用ベルト１４を設けた。【選択図】図１
0003221776.tif 000002
【実用新案登録請求の範囲】
【請求項１】
先端にフック等の掛け止め手段を有する固定用ベルトと巻き取り側のベルトとをバックルによる締付け具を介して組み合わせるラッシングベルトにおいて、中央に巻き取り側のベルトがあり、この中央の巻き取り側のベルトの左右にバックルによる締付け具を介して固定用ベルトを設けたことを特徴とするラッシングベルト。
【請求項２】
中央の巻き取り側のベルトの左右に締結する固定用ベルトの長さは、これを同一とする請求項１記載のラッシングベルト。
【考案の詳細な説明】
【技術分野】
【０００１】
本考案は、トラックの積み荷を緊締するラッシングベルトに関する。
【背景技術】
【０００２】
ラッシングベルト（荷締機）は、車両の荷台に荷物を固定するための道具である。
【０００３】
ラッシングベルトは手間を掛けずに、しっかりと荷台に荷物を固定でき、荷崩れを防げる事が特徴で、トラックを使う運搬業や、パレットを使う流通業、海運業などの業種で幅広く使用されている。
【０００４】
近時、流通機構の拡大と運輸技術の進展に伴って輸送貨物の量も飛躍的に増大し、輸送手段も進歩するとともに多種多様になっている。それに伴って商品貨物の輸送時等における安全且つ確実な保持、固定のための手段が必要とされ、そのための最も新しく進んだ用具としてラッシングベルトが広く用いられてきている。
【０００５】
ラッシングベルトは例えば、トラックの荷台のアオリなどに付いているフックやルートバンに取り付けた対応するトラックレールを利用して貨物等を固定する。
【０００６】
その標準的なものは図６に示すようにラチェットバックル１を用いたもので、一端にフック等の掛け止め手段２を有する一定の長さのベルト３をラチェットバックル１に固定的に取り付け、更に一端にフック等の掛け止め手段４を有する別のベルト５をラチェットバックル１のスプレッタバーに差し込んで装着し、全体として１本のベルト状としたものである。
【０００７】
図７に示すように、例えばトラックの荷台に積載した貨物を荷崩れ、移動などすることがないように所謂荷締めするのであるが、その操作は先ずラチェットバックルをフリー状態にしてベルト５を引き出して必要充分な長さのたるみをとり、ラッシングベルトシステムの両端のフックを所定の箇所（図７においてはトラックの荷台のアオリの下のフック）に掛け止め、その後ラチェットバックルのハンドル６によってラチェットを回転させてベルト５をラチェットバックルに巻き取って積載貨物を固定する。
【０００８】
また別のものとしては、カムバックル９を用いたラッシングベルトがある。図８に示すように、一端にフック等の掛け止め手段７を有する一定長の固定ベルト８をカムバックル９に固定的に取り付けるとともに、一端にフック等の掛け止め手段１０を有する別のベルト１１を、フック１０を取りつけてない側をカムバックルの不動方向側から可動方向側に向けてカムバックル９に挿通してフック１０を取りつけてある端部をＵ字状に折り返した。
【０００９】
このタイプのラッシングベルトも用途と操作方法は基本的には図６のラッシングベルトと同じであるが、その操作方法においてベルト１１の自由端側（フックの取り付けられていない側）１２を引っ張ることによってベルトを締める点において異なる。
【考案の概要】
【考案が解決しようとする課題】
【００１０】
これらのラッシングベルトは従来のロープのみで荷締めすることに比べれば格段に便利で能率的で且つ効果的であるが、前記両方のベルトともに固定側のベルト３、８の長さが一定で可変ではないためにラチェットバックル１、カムバックル９のフック２、７からの位置が一定であるのに対して、積載したり置いておく場所などや荷締めして固定すべき貨物などの大きさ、形状、態様などが非常に種々雑多であるので、ラッシングベルトシステムがそれらの多様性に好適に対応しきれず、荷締め作業が制限され、作業し難い問題がある。
【００１１】
さらに、また固定側のベルト３、８の長さが一定で可変ではないためにこの固定側のベルトには常に同じ箇所に負担がかかるのでベルトの磨耗が激しく耐久性が悪くなる。
【００１２】
また、可変側のベルトも比較的短い範囲の箇所に集中してラチェットバックルやカムバックルと接触することになるのでやはり固定側のベルトと同様に磨耗が激しくベルトの耐久性が悪くなるという問題がある。ラチェットバックルを用いたラッシングベルトシステムでは、ラチェットバックルの重量が非常に重く作業性を損なっていると共に場合によっては危険でもある。
【００１３】
カムバックルを用いたラッシングベルトシステムでは、移動するベルトがカムバックルのベースプレートのところでＵターンしているので、荷締めのためにベルト１２を引っ張ったときに大きな抵抗を受けて、荷締めに非常に大きな力が必要になる。
【００１４】
本考案の目的は前記従来例の不都合を解消し、荷締時に横ズレを起こすことが少なく、かつ作業性が極めてよく耐久性の高いラッシングベルトを提供することにある。
【課題を解決するための手段】
【００１５】
前記目的を達成するため請求項１記載の本考案は、先端にフック等の掛け止め手段を有する固定用ベルトと巻き取り側のベルトとをバックルによる締付け具を介して組み合わせるラッシングベルトにおいて、中央に巻き取り側のベルトがあり、この中央の巻き取り側のベルトの左右にバックルによる締付け具を介して固定用ベルトを設けたことを要旨とするものである。
【００１６】
請求項１記載の本考案によれば、ラッシングベルトにバックルを２ヶ所取付けることにより、荷締時の荷物の横ずれを左右バランスを取りながら締め付けることができる。
【００１７】
さらに、固定用ベルトの長さが一定で可変ではないためにこの固定側のベルトには分散して負担がかかるのでベルトの磨耗が激しく耐久性が悪くなることを防止できる。
【００１８】
また、可変側のベルトである中央の巻き取り側のベルトについてもラチェットバックルやカムバックルが左右に分散してあり、比較的短い範囲の箇所に集中してラチェットバックルやカムバックルと接触することになるのでやはり固定側のベルトと同様に磨耗が激しくベルトの耐久性が悪くなるという問題がなくなる。
【００１９】
カムバックルを用いたラッシングベルトシステムでは、移動するベルトがカムバックルのベースプレートのところでＵターンしているので、荷締めのためにベルトを引っ張ったときに大きな抵抗を受けて、荷締めに非常に大きな力が必要になるということも左右に分散することで解消できる。
【００２０】
請求項２記載の本考案は、中央の巻き取り側のベルトの左右に締結する固定用ベルトの長さは、これを同一とすることを要旨とするものである。
【００２１】
請求項２記載の本考案によれば、中央の巻き取り側のベルトの左右に締結する固定用ベルトの長さは、これを同一とすることでより確実に左右バランスを取ることができ、作業性が極めてよく耐久性の高いものとすることができる。
【考案の効果】
【００２２】
以上述べたように本考案のラッシングベルトは、荷締時に横ズレを起こすことが少なく、かつ作業性が極めてよく耐久性の高いものである。
【図面の簡単な説明】
【００２３】
【図１】本考案のラッシングベルトの1実施形態を示す正面図である。
【図２】本考案のラッシングベルトの使用状態を示す側面図である。
【図３】ラチェットバックルの斜視図である。
【図４】ラチェットバックルの使用を示す斜視図である。
【図５】オーバーセンターバックルの使用を示す斜視図である。
【図６】従来例を示す側面図である。
【図７】従来例の使用状態を示す斜視図である。
【図８】他の従来例を示す側面図である。
【考案を実施するための形態】
【００２４】
以下、図面について本考案の実施の形態を詳細に説明する。図１は本考案のラッシングベルトの１実施形態を示す正面図、図２は同上の使用状態を示す側面図である。
【００２５】
本考案のラッシングベルトも、先端にフック等の掛け止め手段１３を固定用ベルト１４と巻き取り側のベルト１５とをバックルによる締付け具１６を介して組み合わせるものであるが、中央に巻き取り側のベルト１５を置き、その左右にバックルによる締付け具１６を介して固定用ベルト１４を設けた。
【００２６】
すなわち、本考案のラッシングベルトはバックルによる締付け具１６を２ヶ所に取り付けるものである。
【００２７】
バックルは固定用ベルト１４のフック等の掛け止め手段１３を設けた端と反対側の端に固定的に取り付けるもので、巻き取り側のベルト１５はバックルに長さ調節可能に巻回する。
【００２８】
また、締付け具１６を介して巻き取り側のベルト１５の左右に結合する固定用ベルト１４はその長さは相互に同じ長さであることが望ましい。
【００２９】
締付け具１６であるバックルは、ラチェットバックル、カムバックル、オーバーセンターバックルのいずれを用いてもよい。
【００３０】
ラチェットバックルによる締付け具１６の例を図３に示す。ラチェットホイール１７が固定されたバンド巻取軸１８を本体１９の基端部の軸孔とハンドル２０の基端部の軸孔に嵌挿して本体１９にハンドル２０を回転可能に連結し、バンド巻取軸１８に巻き取り側のベルト１５の一方の端部を巻き掛け、本体２０の先端部のバンド固定棒２１に固定用ベルト１４の端部を取り付けた。
【００３１】
ハンドル２０のガイド孔に摺動可能に嵌め入れた駆動プレート２２をバネによってラチェットホイール１７に向けて前進付勢し、本体１９のガイド孔に摺動可能に嵌め入れたラチェットをバネによってラチェットホイール１７に向けて前進付勢する。
【００３２】
ハンドル２０の特定方向への回転時に、駆動プレート２２をラチェットホイール１７の歯の受動面に係合させてバンド巻取軸１８をバンド巻き取り方向に回転させる一方、ラチェット（図示せず）をラチェットホイール１７の歯の逃がし面に沿って逃がし、ハンドル２０の逆回転時に、ラチェットをラチェットホイール１７の歯の受動面に係合させてバンド巻取軸１８の逆回転を阻止する一方、駆動プレート２２をラチェットホイール１７の歯の逃がし面に沿って逃がすようにした。
【００３３】
使用に当たっては、例えばトラック２５の荷台に積載した荷物２６を荷崩れ、移動などすることがないように所謂荷締めするのであるが、その操作は先ずラチェットバックルをフリー状態にして巻き取り側のベルト１５を引き出して必要充分な長さのたるみをとり（図４参照）、固定用ベルト１４のフック等の掛け止め手段１３を所定の箇所（例えばトラック２５の荷台のアオリ２７の下のフック２８に掛け止め、その後ラチェットバックルのハンドル２０によってラチェットを回転させてベルト１５をラチェットバックルに巻き取って荷物２６を固定する。
【００３４】
なお、先に一方の固定用ベルト１４のフック等の掛け止め手段１３を所定の箇所（例えばトラック２５の荷台のアオリ２７の下のフック２８に掛け止め、巻き取り側のベルト１５を荷物２６の上に回したあとで、他方の固定用ベルト１４のフック等の掛け止め手段１３を止める。
【００３５】
この状態でラチェットバックルを締めれば、荷物２６は左右ほぼ均一な状態で締め固定できる。
【００３６】
図５にオーバーセンターバックル２３の場合のベルトの通し方を示す。
【００３７】
カムバックルの場合は、前記図８に示したように、一端にフック等の掛け止め手段を有する一定長の固定ベルトをカムバックルに固定的に取り付けるとともに、他のベルトをカムバックルの不動方向側から可動方向側に向けてカムバックルに挿通し端部をＵ字状に折り返す。
【符号の説明】
【００３８】
１…ラチェットバックル
２，４…フック等の掛け止め手段
３，５…ベルト
６…ハンドル
７，１０…フック等の掛け止め手段
８，１１，１２…ベルト
９…カムバックル
１３…掛け止め手段
１４…固定用ベルト
１５…巻き取り側のベルト
１６…締付け具
１７…ラチェットホイール
１８…バンド巻取軸
１９…本体
２０…ハンドル
２１…バンド固定棒
２２…駆動プレート
２３…オーバーセンターバックル
２５…トラック
２６…荷物
２７…アオリ
２８…フック
【図１】
0003221776.tif 000003
【図２】
0003221776.tif 000004
【図３】
0003221776.tif 000005
【図４】
0003221776.tif 000006
【図５】
0003221776.tif 000007
【図６】
0003221776.tif 000008
【図７】
0003221776.tif 000009
【図８】
0003221776.tif 000010
【手続補正書】
【提出日】平成31年4月4日(2019.4.4)
【手続補正１】
【補正対象書類名】明細書
【補正対象項目名】全文
【補正方法】変更
【補正の内容】
【考案の詳細な説明】
【技術分野】
【０００１】
本考案は、トラックの積み荷を緊締するラッシングベルトに関する。
【背景技術】
【０００２】
ラッシングベルト（荷締機）は、車両の荷台に荷物を固定するための道具である。
【０００３】
ラッシングベルトは手間を掛けずに、しっかりと荷台に荷物を固定でき、荷崩れを防げる事が特徴で、トラックを使う運搬業や、パレットを使う流通業、海運業などの業種で幅広く使用されている。
【０００４】
近時、流通機構の拡大と運輸技術の進展に伴って輸送貨物の量も飛躍的に増大し、輸送手段も進歩するとともに多種多様になっている。それに伴って商品貨物の輸送時等における安全且つ確実な保持、固定のための手段が必要とされ、そのための最も新しく進んだ用具としてラッシングベルトが広く用いられてきている。
【０００５】
ラッシングベルトは例えば、トラックの荷台のアオリなどに付いているフックやルートバンに取り付けた対応するトラックレールを利用して貨物等を固定する。
【０００６】
その標準的なものは図６に示すようにラチェットバックル１を用いたもので、一端にフックの掛け止め手段２を有する一定の長さのベルト３をラチェットバックル１に固定的に取り付け、更に一端にフックの掛け止め手段４を有する別のベルト５をラチェットバックル１のスプレッタバーに差し込んで装着し、全体として１本のベルト状としたものである。
【０００７】
図７に示すように、例えばトラックの荷台に積載した貨物を荷崩れ、移動などすることがないように所謂荷締めするのであるが、その操作は先ずラチェットバックルをフリー状態にしてベルト５を引き出して必要充分な長さのたるみをとり、ラッシングベルトシステムの両端のフックを所定の箇所（図７においてはトラックの荷台のアオリの下のフック）に掛け止め、その後ラチェットバックルのハンドル６によってラチェットを回転させてベルト５をラチェットバックルに巻き取って積載貨物を固定する。
【０００８】
また別のものとしては、カムバックル９を用いたラッシングベルトがある。図８に示すように、一端にフックの掛け止め手段７を有する一定長の固定ベルト８をカムバックル９に固定的に取り付けるとともに、一端にフックの掛け止め手段１０を有する別のベルト１１を、フック１０を取りつけてない側をカムバックルの不動方向側から可動方向側に向けてカムバックル９に挿通してフック１０を取りつけてある端部をＵ字状に折り返した。
【０００９】
このタイプのラッシングベルトも用途と操作方法は基本的には図６のラッシングベルトと同じであるが、その操作方法においてベルト１１の自由端側（フックの取り付けられていない側）１２を引っ張ることによってベルトを締める点において異なる。
【考案の概要】
【考案が解決しようとする課題】
【００１０】
これらのラッシングベルトは従来のロープのみで荷締めすることに比べれば格段に便利で能率的で且つ効果的であるが、前記両方のベルトともに固定側のベルト３、８の長さが一定で可変ではないためにラチェットバックル１、カムバックル９のフック２、７からの位置が一定であるのに対して、積載したり置いておく場所などや荷締めして固定すべき貨物などの大きさ、形状、態様などが非常に種々雑多であるので、ラッシングベルトシステムがそれらの多様性に好適に対応しきれず、荷締め作業が制限され、作業し難い問題がある。
【００１１】
さらに、また固定側のベルト３、８の長さが一定で可変ではないためにこの固定側のベルトには常に同じ箇所に負担がかかるのでベルトの磨耗が激しく耐久性が悪くなる。
【００１２】
また、可変側のベルトも比較的短い範囲の箇所に集中してラチェットバックルやカムバックルと接触することになるのでやはり固定側のベルトと同様に磨耗が激しくベルトの耐久性が悪くなるという問題がある。ラチェットバックルを用いたラッシングベルトシステムでは、ラチェットバックルの重量が非常に重く作業性を損なっていると共に場合によっては危険でもある。
【００１３】
カムバックルを用いたラッシングベルトシステムでは、移動するベルトがカムバックルのベースプレートのところでＵターンしているので、荷締めのためにベルト１２を引っ張ったときに大きな抵抗を受けて、荷締めに非常に大きな力が必要になる。
【００１４】
本考案の目的は前記従来例の不都合を解消し、荷締時に横ズレを起こすことが少なく、かつ作業性が極めてよく耐久性の高いラッシングベルトを提供することにある。
【課題を解決するための手段】
【００１５】
前記目的を達成するため請求項１記載の本考案は、先端にフックの掛け止め手段を有する固定用ベルトと巻き取り側のベルトとをバックルによる締付け具を介して組み合わせるラッシングベルトにおいて、中央に巻き取り側のベルトがあり、この中央の巻き取り側のベルトの左右にバックルによる締付け具を介して固定用ベルトを設けたことを要旨とするものである。
【００１６】
請求項１記載の本考案によれば、ラッシングベルトにバックルを２ヶ所取付けることにより、荷締時の荷物の横ずれを左右バランスを取りながら締め付けることができる。
【００１７】
さらに、固定用ベルトの長さが一定で可変ではないためにこの固定側のベルトには分散して負担がかかるのでベルトの磨耗が激しく耐久性が悪くなることを防止できる。
【００１８】
また、可変側のベルトである中央の巻き取り側のベルトについてもラチェットバックルやカムバックルが左右に分散してあり、比較的短い範囲の箇所に集中してラチェットバックルやカムバックルと接触することになるのでやはり固定側のベルトと同様に磨耗が激しくベルトの耐久性が悪くなるという問題がなくなる。
【００１９】
カムバックルを用いたラッシングベルトシステムでは、移動するベルトがカムバックルのベースプレートのところでＵターンしているので、荷締めのためにベルトを引っ張ったときに大きな抵抗を受けて、荷締めに非常に大きな力が必要になるということも左右に分散することで解消できる。
【００２０】
請求項２記載の本考案は、中央の巻き取り側のベルトの左右に締結する固定用ベルトの長さは、これを同一とすることを要旨とするものである。
【００２１】
請求項２記載の本考案によれば、中央の巻き取り側のベルトの左右に締結する固定用ベルトの長さは、これを同一とすることでより確実に左右バランスを取ることができ、作業性が極めてよく耐久性の高いものとすることができる。
【考案の効果】
【００２２】
以上述べたように本考案のラッシングベルトは、荷締時に横ズレを起こすことが少なく、かつ作業性が極めてよく耐久性の高いものである。
【図面の簡単な説明】
【００２３】
【図１】本考案のラッシングベルトの1実施形態を示す正面図である。
【図２】本考案のラッシングベルトの使用状態を示す側面図である。
【図３】ラチェットバックルの斜視図である。
【図４】ラチェットバックルの使用を示す斜視図である。
【図５】オーバーセンターバックルの使用を示す斜視図である。
【図６】従来例を示す側面図である。
【図７】従来例の使用状態を示す斜視図である。
【図８】他の従来例を示す側面図である。
【考案を実施するための形態】
【００２４】
以下、図面について本考案の実施の形態を詳細に説明する。図１は本考案のラッシングベルトの１実施形態を示す正面図、図２は同上の使用状態を示す側面図である。
【００２５】
本考案のラッシングベルトも、先端にフックの掛け止め手段１３を固定用ベルト１４と巻き取り側のベルト１５とをバックルによる締付け具１６を介して組み合わせるものであるが、中央に巻き取り側のベルト１５を置き、その左右にバックルによる締付け具１６を介して固定用ベルト１４を設けた。
【００２６】
すなわち、本考案のラッシングベルトはバックルによる締付け具１６を２ヶ所に取り付けるものである。
【００２７】
バックルは固定用ベルト１４のフックの掛け止め手段１３を設けた端と反対側の端に固定的に取り付けるもので、巻き取り側のベルト１５はバックルに長さ調節可能に巻回する。
【００２８】
また、締付け具１６を介して巻き取り側のベルト１５の左右に結合する固定用ベルト１４はその長さは相互に同じ長さであることが望ましい。
【００２９】
締付け具１６であるバックルは、ラチェットバックル、カムバックル、オーバーセンターバックルのいずれを用いてもよい。
【００３０】
ラチェットバックルによる締付け具１６の例を図３に示す。ラチェットホイール１７が固定されたバンド巻取軸１８を本体１９の基端部の軸孔とハンドル２０の基端部の軸孔に嵌挿して本体１９にハンドル２０を回転可能に連結し、バンド巻取軸１８に巻き取り側のベルト１５の一方の端部を巻き掛け、本体２０の先端部のバンド固定棒２１に固定用ベルト１４の端部を取り付けた。
【００３１】
ハンドル２０のガイド孔に摺動可能に嵌め入れた駆動プレート２２をバネによってラチェットホイール１７に向けて前進付勢し、本体１９のガイド孔に摺動可能に嵌め入れたラチェットをバネによってラチェットホイール１７に向けて前進付勢する。
【００３２】
ハンドル２０の特定方向への回転時に、駆動プレート２２をラチェットホイール１７の歯の受動面に係合させてバンド巻取軸１８をバンド巻き取り方向に回転させる一方、ラチェット（図示せず）をラチェットホイール１７の歯の逃がし面に沿って逃がし、ハンドル２０の逆回転時に、ラチェットをラチェットホイール１７の歯の受動面に係合させてバンド巻取軸１８の逆回転を阻止する一方、駆動プレート２２をラチェットホイール１７の歯の逃がし面に沿って逃がすようにした。
【００３３】
使用に当たっては、例えばトラック２５の荷台に積載した荷物２６を荷崩れ、移動などすることがないように所謂荷締めするのであるが、その操作は先ずラチェットバックルをフリー状態にして巻き取り側のベルト１５を引き出して必要充分な長さのたるみをとり（図４参照）、固定用ベルト１４のフックの掛け止め手段１３を所定の箇所（例えばトラック２５の荷台のアオリ２７の下のフック２８に掛け止め、その後ラチェットバックルのハンドル２０によってラチェットを回転させてベルト１５をラチェットバックルに巻き取って荷物２６を固定する。
【００３４】
なお、先に一方の固定用ベルト１４のフックの掛け止め手段１３を所定の箇所（例えばトラック２５の荷台のアオリ２７の下のフック２８に掛け止め、巻き取り側のベルト１５を荷物２６の上に回したあとで、他方の固定用ベルト１４のフックの掛け止め手段１３を止める。
【００３５】
この状態でラチェットバックルを締めれば、荷物２６は左右ほぼ均一な状態で締め固定できる。
【００３６】
図５にオーバーセンターバックル２３の場合のベルトの通し方を示す。
【００３７】
カムバックルの場合は、前記図８に示したように、一端にフックの掛け止め手段を有する一定長の固定ベルトをカムバックルに固定的に取り付けるとともに、他のベルトをカムバックルの不動方向側から可動方向側に向けてカムバックルに挿通し端部をＵ字状に折り返す。
【符号の説明】
【００３８】
１…ラチェットバックル
２，４…フックの掛け止め手段
３，５…ベルト
６…ハンドル
７，１０…フックの掛け止め手段
８，１１，１２…ベルト
９…カムバックル
１３…掛け止め手段
１４…固定用ベルト
１５…巻き取り側のベルト
１６…締付け具
１７…ラチェットホイール
１８…バンド巻取軸
１９…本体
２０…ハンドル
２１…バンド固定棒
２２…駆動プレート
２３…オーバーセンターバックル
２５…トラック
２６…荷物
２７…アオリ
２８…フック
【手続補正２】
【補正対象書類名】実用新案登録請求の範囲
【補正対象項目名】全文
【補正方法】変更
【補正の内容】
【実用新案登録請求の範囲】
【請求項１】
先端にフックの掛け止め手段を有する固定用ベルトと巻き取り側のベルトとをバックルによる締付け具を介して組み合わせるラッシングベルトにおいて、中央に巻き取り側のベルトがあり、この中央の巻き取り側のベルトの左右にバックルによる締付け具を介して固定用ベルトを設けたことを特徴とするラッシングベルト。
【請求項２】
中央の巻き取り側のベルトの左右に締結する固定用ベルトの長さは、これを同一とする請求項１記載のラッシングベルト。